(57)【要約】【課題】地中に打ち込まれた農業用パイプを簡単容易に引き抜くことができるパイプ引抜き器を提供する。【解決手段】このパイプ引抜き器は、引き抜かれるべきパイプ等の下端が打ち込まれた地表に設置される接地板と、接地板に下端を回動可能に取り付けられた操作棒と、長さ方向の一半部に２個のコマを予め定めた可変間隔を置いて回転可能に設けたクランプ具と、クランプ具をその長さ方向の他半部において操作棒の下端近傍に回動可能に連結支持する手段とで構成される。【選択図】  図１
2004293188.tif 000002
【特許請求の範囲】
【請求項１】
ａ）引抜かれるべきパイプ等の下端が打ち込まれた地表に設置される接地板と、
ｂ）接地板に下端を回動可能に取り付けられた操作棒と、
ｃ）長さ方向の一半部に２個のコマを予め定めた間隔を置いて回転可能に設けたクランプ具と、
ｄ）クランプ具をその長さ方向の他半部において操作棒の下端近傍に回動可能に連結支持する手段と、
からなるパイプ等の引抜き器。
【請求項２】
操作棒が水平部分と直立部分とからなるＬ字形をなし、水平部分の先端が接地板に回動可能に連結支持されてなり、
クランプ具を操作棒に連結支持する手段が、上端をクランプ具に回動可能に連結され下端を操作棒の水平部分上面に回動可能に連結された支持捍からなる請求項１のパイプ等の引抜き器。
【請求項３】
２個のコマの間隔が可変である請求項１または２のパイプ等の引抜き器。
【発明の詳細な説明】
【０００１】
【発明の属する技術分野】
本発明は下端部を地中に打ち込まれたパイプ等の引き抜き器に関する。
【０００２】
【従来の技術】
農業用のパイプハウスなどの骨組みに使用される支柱には、通常直径２０ミリ程度の表面がメッキされた鉄製のパイプが使用されているが、このパイプは適当な間隔を置いて、地中に下端部を５０ｃｍ程度の深さに打ち込まれている。
【０００３】
このようなパイプは使用目的を終えると、撤去することが多いので、地中から引抜く必要がある。
【０００４】
従来、この種のパイプ引抜き具としては、例えば、実用新案登録第３０２２９７０号及び第３０３５６２０号の考案がある。
【０００５】
前者は、Ｕ字状挟着片を有する支持片と挟着片に架橋装着した係止棒とからなる支持部の挟着片と係止棒とで規定された通孔にパイプを挿通保持し、支持部に中間点が枢着された他の支持片の先端の係止爪で、支持部に挿通されたパイプを押え、枢着された支持片の他端に取りつけたワイヤ−等をクレ−ン等で吊り上げることによって係止爪でパイプを支持部に固定しつつパイプを引き抜くようにしたものである。
【０００６】
この引抜き機では、ワイヤ−等を人力で引き上げることは実際上不可能で、クレ−ン等の別の機械を必要とする欠点がある。
上記後者の考案では、枢着部で互いに回動可能にＸ状に組まれた２本の腕の下端部に棒状物挟持用金具を設けたクランプ部を、腕の上端部の鎖状物を介して取っ手部の先端に吊り下げ、取っ手部をその中間点を支点として地面に直立設置した支柱部上端でＴ字形に支持させ、取っ手部をテコの原理で操作して、クランプ部でパイプを挟んで引き抜くようにしたものである。
【０００７】
この引抜き具では、パイプを挟む動作と取っ手部を押し下げる動作を同時に行う必要があり、不便であり、また、１回の取っ手部の押し下げ動作でパイプが抜けなければ、パイプ挟持動作と、取っ手部押し下げ動作とを繰り返し行わねばならず、操作が面倒である。
【０００８】
【特許文献１】
実用新案登録第３０２２９７０号
【特許文献２】
実用新案登録第３０３５６２０号
【０００９】
【発明が解決しようとする課題】
本発明は、地中に打ち込まれたパイプや杭等の引抜き器のパイプ等への装着及び装着した引抜き器の引抜き操作が簡単容易であり、表面が滑らかなパイプでも滑らずに確実にクランプが可能であり、パイプや杭を傷つけない引抜き器を提供する。
【００１０】
【課題を解決するための手段】
上記課題を解決するために、本発明は、ａ）引き抜かれるべきパイプ等の下端が打ち込まれた地表に設置される接地板と、
ｂ）接地板に下端を回動可能に取り付けられた操作棒と、
ｃ）長さ方向の一半部に２個のコマを予め定めた間隔を置いて回転可能に設けたクランプ具と、
ｄ）クランプ具をその長さ方向の他半部において操作棒の下端近傍に回動可能に連結支持する手段と、
からなるパイプ等の引抜き器を提供するものである。
【００１１】
【発明の実施の形態】
接地板の一辺には、引き抜こうとするパイプの下端地際を受け入れる切り欠きを設けることも出来る。
操作棒は下端にＴ字状に横バーを固定し、このバ−を接地板上に回動可能に取り付ける。操作棒は横バ−から延長する地面に平行な水平部と、この水平部に続いて直角に延長し上端の握り部で終わる鉛直部とからなるＬ字形とすることができる。
【００１２】
クランプ具の長さ方向の一半部には、弾力性のある材料の一対のコマを所定の間隔を置いて回転可能に取り付ける。コマの間隔は、調節板を介することにより可変とすることができる。
【００１３】
クランプ具を操作棒に回動可能に連結支持する手段は、上端をクランプ具の他半部に、下端を操作棒の水平部にそれぞれ枢着した連結支持捍とすることができる。クランプ具を、コマの間に引き抜こうとするパイプ等を挟んで装着したとき、クランプ具が連結支持捍上で回動して一半部が下降して２個のコマが上下に若干ずれた位置でパイプを挟んで停止するように、各関連部材を構成配置する。
【００１４】
【実施例】
図面を参照して実施例を説明する。図において、１は方形の接地板、２は接地板１の直立側板、３、４は接地板１の上面両側に設けた軸受輪、５は接地板１の反対側辺に着脱可能なＬ型側板で、その直立部６が側板２と対向する。７は接地板１の長辺に設けた切欠きで、後述のように、接地板１を引き抜こうとするパイプの地際に設置する時、パイプの地際部分を受け入れるためのものである。８は接地板１の他方の長辺に設けた垂下縁で、接地板１を地表に固定安定させるためのものである。
【００１５】
９はＬ字状の操作棒、１０はその水平部、１１はその直立部、１２は操作棒９の水平部１０の先端にＴ字状に固定した回動軸（横バ−）で、接地板１上の軸受輪３、４に嵌め込まれて操作棒９の接地板１に対する回動を可能ならしめる。直立部１１は鉛直位置から横に（回動軸の軸方向に）傾斜させておく。
【００１６】
１５は接地板１の軸受輪３の下方に設けた切欠きで、操作棒９の回動軸１２の一端を斜めにして軸受輪３に挿入するのを容易にするためのものである。回動軸１２の一端を軸受輪３に挿入した後、回動軸１２を少し後退させて、他端を他方の軸受輪４に挿入した後、接地板１にＬ型側板５を固定する。
【００１７】
１６はクランプ具で、コの字型にプレスし間隔を置いて対峠させた２枚の側板（クランプ板）１７、１８からなり、１９、２０はクランプ具の長さ方向の一半部（前半部）に所定の可変間隔を置いて設置した１対の回転可能なコマで、プラスチック、ゴムなどの弾力性のある材料で作られる。２１は一方のクランプ板１８の外側面に接合設置した調節板、２２はクランプ板１８に設けた長穴、２３は調節板２１に設けた長穴、２４、２５はクランプ板１７、１８に設けた丸穴、２６は調節板２１に設けた丸穴である。長穴２２と丸穴２６は対応し、丸穴２４、２５は互いに及び長穴２３と対応する。
【００１８】
２７は支軸ボルトで、長穴２３及び丸穴２４、２５に挿通されてコマ１９をクランプ板１７と１８の間に回転可能に支受する。２８は他方の支軸ボルトで、丸穴２６、長穴２２に挿通され、他方のコマ２０をクランプ板１８の一側面においてコマ１９と同一面に回転可能に支持する。２９及び３０、３１はそれぞれボルト２７及び２８に螺合されるナットである。３２はクランプ具１６に固着した握りである。
【００１９】
３３は連結支持捍で、一対の支持板３４、３５を並設してなり、一端（上端）をクランプ具１６の後端（コマ１９、２０を支受した前半部と反対側端）に枢着３６され、他端（下端）は操作棒９の水平部１０中間上面に枢着３７される。３８は枢着点３７に設けた停止片で、連結支持捍３３の回動を一定範囲に規制するものである。
【００２０】
３９は調節板２１をクランプ具１６に固定するボルト、４０はその締付けナットである。４１、４２は調節板２１に設けた丸穴、４３、４４はクランプ板１７、１８に設けた丸穴で、これらの丸穴は、後述のように、ボルト３９を挿通するためのものである。なお、丸穴４４はクランプ板１８に設けられているが、図５では調節板２１の丸穴４２に重ねて示されている。
【００２１】
調節板２１をクランプ具１６に対して長穴２２、２３の長さ方向にずらして位置を変えることにより、支軸ボルト２７、２８、従ってコマ１９と２０の軸心間隔を変えて、異なるパイプ径に対応して、パイプを挟持することができる。すなわち、図５の状態では、調節板２１はクランプ具１６に対して右側に変位した位置にある。締付けボルト３９を穴４２、４３、４４から取り外し、コマ１９の支軸ボルト２７のナット２９、及びコマ２０の支軸ボルト２８のナット３０、３１を緩めて、調節板２１を図５で矢印Ｘ方向に移動させると、長穴２３は同じ方向に移動するから、コマ１９の支軸ボルト２７、従ってコマ１９のクランプ具１６に対する位置は変わらないが、他方のコマ２０の支軸ボルト２８は丸穴２６に連れ動かされて長穴２２内を移動する。つまり、ボルト２８、従ってコマ２０はボルト２９、従ってコマ１９から離反し、両コマ１９、２０の間隔は大きくなり、太い直径のパイプを挟持できる。ボルト３９はクランプ具１６の丸穴４３、４４から調節板２１の丸穴４１に挿通してナット４０で固定する。
【００２２】
長穴２２、２３の長さを変え、及び丸穴４１、４２と同様の穴を多数個設けることによりコマ間隔を多段に変えることができる。丸穴４１、４３の代わりに長穴を設ければ、コマ間隔を無段調節可能である。
【００２３】
本器具を使用するには、接地板１を地表に設置しつつ、握り３２を握ってクランプ具１６を、地中から引き抜こうとするパイプＰに側面から近づけて、パイプをコマ１９と２０の間に配置し、握り３２を離すと、クランプ具１６は、先端が自重で降下しながら、支点３６を中心に図２で時計方向に回動し、支持捍３３は支点３７を中心に時計方向に回動してコマ１９，２０がパイプＰと密着し，この状態で、コマ１９は上方に、コマ２０は下方に位置してパイプＰを挟持する。そこで、パイプＰと操作棒９をそれぞれ左右の手で握り、互いに相寄る方向（矢印Ｙ、Ｚ）に動かすと、操作棒９は横バ−１２を中心に回動して支点３７が上昇し、連結捍３３を介して支点３６を押し上げる。支点３６の上昇によりパイプＰを挟持しているコマ１９、２０はそれぞれボルト２８、２７を中心として矢印Ｒ、Ｑの方向に回動しようとしてパイプＰに曲げ応力を加えて、パイプをロック挟持する。更に，曲げ応力に対抗してパイプＰの垂直を保持するために，パイプＰを手前に引きつつ操作棒９を押し動かすと、支点３６、従って、クランプ具１６が上昇して、コマ１９、２０で挟持したパイプＰを引き抜く方向に動かす。操作棒９の直立部１１は横にやや傾斜させてあるので、これをパイプに交差させて押し動かすことができる。
【００２４】
操作棒９を手前に引き戻すと、支点３６、３７が下がり、クランプ具１６のコマ１９、２０はパイプＰの挟持を解除してパイプに沿って下降し、引き上げられたパイプの先の位置より下方の位置に来る。そこで再び先にした動作と同じく、操作棒９とパイプＰを互いに相寄る方向に動かすことによって上述したと同じ動作によってパイプは引き抜かれる方向に動かされる。この動作を必要な回数繰り返すことによって、パイプは地中より引き抜かれる。
【００２５】
【発明の効果】
本発明の引抜き器によればパイプ等への装着離脱が簡単容易であり、作業者が腰を曲げることなく作業ができるので、腰への負担が少なくてすみ、コマの円周面によってパイプ等を挟持するので、傷を付ける危険性が少なく、テコの原理を利用しているので、小さい力でパイプを滑らずに、つかむことができ、コマの間隔を変えなくても、一定の範囲で異なる径のパイプに簡単に対応して掴むことができ、構造が簡単、軽量で、操作も容易である。
【図面の簡単な説明】
【図１】本発明のパイプ引抜き器をパイプに装着する状態の立面図。
【図２】本発明のパイプ引抜き器の使用状態の初期段階を示す概略図。
【図３】本発明のパイプ引抜き器の使用状態の次段階を示す概略図。
【図４】本発明のパイプ引抜き器の分解斜視図。
【図５】本発明のパイプ引抜き器のクランプ具の要部の拡大立面図。
【符号の説明】
１      接地板
９      操作棒
１２    横バ−
１６    クランプ具
１９、２０    コマ
２１    調節板
３３    連結支持捍
３６、３７    支点
【図１】
2004293188.tif 000003
【図２】
2004293188.tif 000004
【図３】
2004293188.tif 000005
【図４】
2004293188.tif 000006
【図５】
2004293188.tif 000007